(57)【要約】【課題】給電コイル上に載ってしまった異物を、比較的簡易な構成で確実に取り除くことができるようにした、非接触給電装置を提供する。【解決手段】給電コイル１５を有し、移動体に対して給電コイル１５から非接触で送電を行う非接触給電装置である。給電コイル１５を覆ってカバー３０が設けられる。カバー３０には、給電コイル１５で発生した磁束Ａによって振動し、カバー３０を振動させる振動部３２が接続されている。【選択図】図２
2015133846.tif 000002
【特許請求の範囲】
【請求項１】
給電コイルを有し、移動体に対して前記給電コイルから非接触で送電を行う非接触給電装置であって、
前記給電コイルを覆ってカバーが設けられ、
前記カバーには、前記給電コイルで発生した磁束によって振動し、前記カバーを振動させる振動部が接続されていることを特徴とする非接触給電装置。
【請求項２】
前記カバーは、その上面が外側に行くに連れて下降する傾斜面となっていることを特徴とする請求項１記載の非接触給電装置。
【請求項３】
前記振動部は、前記給電コイルで発生した磁束を受けて電力を生成する振動部コイルと、前記振動部コイルに接続するとともに前記カバーに接続し、前記振動部コイルで生成した電力によって振動する導電性高分子アクチュエータからなる振動子と、によって形成されていることを特徴とする請求項１又は２に記載の非接触給電装置。
【請求項４】
前記振動部は、磁歪材料からなる振動子によって形成されていることを特徴とする請求項１又は２に記載の非接触給電装置。
【発明の詳細な説明】
【技術分野】
【０００１】
本発明は、非接触給電装置に関する。
【背景技術】
【０００２】
近年、給電側のコイル（給電コイル）を地上に設置、あるいは地面に面一になるように埋設し、受電側のコイル（受電コイル）を備えた電気自動車を給電コイル上に停車させ、給電コイルから受電コイルに対して非接触で電力を供給する、非接触給電システムが知られている。
【０００３】
ところで、給電コイルと自動車（車両）の受電コイルとの間に金属等の導電体や磁性体からなる異物が入り込むと、この異物に渦電流が生じ、ジュール発熱によって異物の温度が上昇する。すると、この異物の温度上昇に伴われて給電コイルも温度上昇する。また、異物によって給電コイルが作る磁界が弱められるため、その伝送（送電）効率が少なからず低下してしまう。
このような異物による発熱を防止したものとして、例えば特許文献１に、充電面を水平面に対して角度を持った傾斜面又は鉛直面にした、充電装置が知られている。
【先行技術文献】
【特許文献】
【０００４】
【特許文献１】特開２０１１−２３４５１４号公報
【発明の概要】
【発明が解決しようとする課題】
【０００５】
しかしながら、例えば車両に対する非接触給電装置にあっては、給電面を単に傾斜させるだけでは異物を確実に落とすことが難しかった。また、別に専用の電源を用いて異物を除去することも考えられるが、その場合には異物を除去するための装置が複雑になるとともに、専用の電源を用いることで装置コストが増大してしまうという課題がある。
【０００６】
本発明は前記事情に鑑みてなされたもので、その目的とするところは、給電コイル上に載ってしまった異物を、比較的簡易な構成で確実に取り除くことができるようにした、非接触給電装置を提供することにある。
【課題を解決するための手段】
【０００７】
本発明の非接触給電装置は、給電コイルを有し、移動体に対して前記給電コイルから非接触で送電を行う非接触給電装置であって、前記給電コイルを覆ってカバーが設けられ、前記カバーには、前記給電コイルで発生した磁束によって振動し、前記カバーを振動させる振動部が接続されていることを特徴とする。
【０００８】
また、前記非接触給電装置において、前記カバーは、その上面が外側に行くに連れて下降する傾斜面となっていることが好ましい。
【０００９】
また、前記非接触給電装置において、前記振動部は、前記給電コイルで発生した磁束を受けて電力を生成する振動部コイルと、前記振動部コイルに接続するとともに前記カバーに接続し、前記振動部コイルで生成した電力によって振動する導電性高分子アクチュエータからなる振動子と、によって形成されていることが好ましい。
【００１０】
また、前記非接触給電装置において、前記振動部は、磁歪材料からなる振動子によって形成されていることが好ましい。
【発明の効果】
【００１１】
本発明の非接触給電装置によれば、給電コイルを覆ってカバーを設け、このカバーに、給電コイルで発生した磁束によって振動し、カバーを振動させる振動部を接続しているので、カバーを介して給電コイル上に載ってしまった異物を、比較的簡易な構成からなる振動部の振動によって確実に取り除くことができる。
【図面の簡単な説明】
【００１２】
【図１】本発明に係る非接触給電システムの要部構成を示すブロック図である。
【図２】本発明の非接触給電装置の第１実施形態を説明するための模式図であり、（ａ）は側面図、（ｂ）は平面図である。
【図３】導電性高分子アクチュエータを説明するための模式図である。
【図４】本発明の非接触給電装置の第２実施形態を説明するための要部側面図である。
【図５】本発明の非接触給電装置の第３実施形態を説明するための要部側面図である。
【図６】本発明の非接触給電装置の変形例を説明するための要部側面図である。
【発明を実施するための形態】
【００１３】
以下、図面を参照して、本発明の非接触給電装置を詳しく説明する。
なお、以下の図面において、各部材を認識可能な大きさとするために、各部材の縮尺を適宜変更している。
【００１４】
［第１実施形態］
図１は、本発明に係る非接触給電システム１の要部構成を示すブロック図である。図１中符号１は非接触給電システムであり、この非接触給電システム１は、電気自動車やハイブリッド自動車等の車両（移動体）に搭載されたバッテリを充電するためのシステム（装置）である。
【００１５】
非接触給電システム１は、地面側に設置された非接触給電装置３と、車両２（移動体）側に設けられる受電装置４と、を備えて構成される。非接触給電装置３は、本発明の非接触給電装置における第１実施形態となるもので、地表面に設置され、地上を走行する車両２が予め定められた位置関係（後述する電磁気結合回路が形成される位置関係）で停車しているときに、車両２の受電装置４に対して電力（バッテリ２４を充電するための電力）を非接触で伝送できるように構成されている。
【００１６】
この非接触給電装置３は、電源１１、整流回路１２、給電回路１３、給電用制御部１４、給電コイル１５（給電レゾネータ）等を備えて構成されており、受電装置４に対する非接触給電に適した電力を生成するとともに、受電装置４に対する非接触給電を行う上で必要となる各種制御を行う。
【００１７】
電源１１は、車両２に伝送すべき電力を生成するために必要となる電力を供給する電源であり、例えば電圧が２００［Ｖ］である三相交流電力を供給する電源である。なお、この電源１１は、三相交流電源に限られることはなく、商用交流電源のような単相交流電力を供給する電源であってもよい。
整流回路１２は、電源１１から供給される交流電力を整流して直流電力に変換する回路である。なお、電源１１としては燃料電池や太陽電池など直流電源を利用することも可能であり、その場合には、整流回路１２を省略することができる。
【００１８】
給電回路１３は、整流回路１２から供給される電力を、給電コイル１５と車両２に設けられる受電コイル２５とによって形成される電磁気結合回路を介して、非接触で車両２に供給する。具体的には、給電回路１３は、給電コイル１５とともに給電側共振回路を構成する共振用コンデンサを備えており、給電用制御部１４の制御の下で、整流回路１２からの直流電力を電源１１の交流電力よりも周波数が高い交流電力（高周波電力）に変換して給電コイル１５に出力する。
【００１９】
給電用制御部１４は、給電回路１３を制御して受電装置４に供給すべき電力を生成させる。この給電用制御部１４は、ＣＰＵ（中央処理装置）やメモリ等を備えており、予め用意された制御プログラムに基づいて上記の各種制御を行う。
【００２０】
給電コイル１５は、前述したように給電回路１３から供給される交流電力を非接触で車両２に給電するためのコイルであり、地上に設置され、あるいは地面に面一になるように埋設されている。この給電コイル１５は、例えば予め規定されたコイル形状寸法を有するヘリカルコイルによって形成されており、その上面側がカバー３０によって覆われている。このカバー３０の詳細については後述する。なお、給電コイル１５は、この給電コイル１５をモールドするプラスチック等の非磁性材料によって形成される収容体と一体的に設けられていてもよい。給電コイル１５は、給電回路１３から供給される交流電力（高周波電力）に応じた磁界を発生することにより、受電装置４に対して非接触で給電を行う。なお、給電コイル１５としては、巻軸方向が水平方向を向いた、いわゆるソレノイドタイプのコイルによって形成されていてもよい。
【００２１】
車両２は、運転者によって運転されて道路上を走行する自動車であり、例えば動力発生源として走行モータを備える電気自動車やハイブリッド自動車であり、図１に示すように受電装置４を備えている。なお、図１では省略しているが、車両２は、エンジン、走行モータ、操作ハンドル、及びブレーキ等の走行に必要な構成を備えている。
【００２２】
受電装置４は、受電コイル２５、受電回路２６、充電回路２７、前記バッテリ２４、受電用制御部２８を備える。受電コイル２５は、前述した給電コイル１５とほぼ同じコイル径を有するヘリカルコイルからなる。なお、受電コイル２５は、この受電コイル２５をモールドするプラスチック等の非磁性材料によって形成される収容体と一体的に設けられていてもよい。このような受電コイル２５は、前記給電コイル１５と対向可能なようにコイル軸が上下方向（鉛直方向）となる姿勢で、車両２の底部に設けられている。この受電コイル２５は、両端が受電回路２６の入力端に接続されており、給電コイル１５の磁界が作用すると起電力を発生し、発生した起電力を受電回路２６に出力する。なお、受電コイル２５としては、巻軸方向が水平方向を向いた、いわゆるソレノイドタイプによって形成されていてもよい。
【００２３】
受電回路２６は、給電コイル１５と受電コイル２５とによって形成される電磁気結合回路を介して非接触で供給されてくる電力（交流電力）を受電し、受電した電力を直流電力に変換して充電回路２７に出力する。この受電回路２６は、受電コイル２５とともに受電側共振回路を構成する共振用コンデンサを備えている。なお、受電回路２６の共振用コンデンサの静電容量は、受電側共振回路の共振周波数が前述した給電側共振回路の共振周波数と同一周波数になるように設定されている。
【００２４】
充電回路２７は、入力端が受電回路２６の出力端に接続されるとともに出力端がバッテリ２４の入力端に接続されており、受電回路２６からの電力（直流電力）をバッテリ２４に充電する。バッテリ２４は、車両２に搭載された再充電が可能な電池（例えば、リチウムイオン電池やニッケル水素電池等の二次電池）であり、図示しない走行モータ等に電力を供給する。受電用制御部２８は、ＣＰＵやメモリ等を備えており、予め用意された受電用制御プログラムに基づいて充電回路２７を制御する。
【００２５】
また、本実施形態において、前述した給電コイル１５の上面側を覆うカバー３０は、図２（ａ）、（ｂ）に示すように一対の樹脂製のカバー部材３１、３１によって形成されており、これらカバー部材３１、３１には、それぞれ振動部３２が接続されている。
カバー部材３１は、図２（ｂ）に示すように平面視矩形状のカバー本体３１ａと、図２（ａ）に示すようにこのカバー本体３１ａの側縁部から下降する側板部３１ｂとによって形成されている。
【００２６】
これらカバー部材３１、３１は、互いに接する側が高くなり、これと反対の側が低くなるように、側面視山型に形成されている。すなわち、カバー３０はその上面が中央部側で高く、外側に行くに連れて漸次下降する傾斜面となっている。カバー部材３１の傾斜角については、特に限定されることなく、後述するように上面上に載った異物５０がカバー部材３１の振動によって容易に外側（低い側）に案内され、カバー部材３１から落下する角度とされる。具体的には、１０度〜４０度程度とされる。
【００２７】
振動部３２は、給電コイル１５で発生した磁界を受けて電力を生成する振動部コイル３３と、振動部コイル３３に配線３４を介して接続するとともにカバー部材３１に接続する振動子３５と、を備えて構成される。
振動部コイル３３は、給電コイル１５とカバー部材３１との間に配置され、したがって地表面と車両２との間における、給電コイル１５と受電コイル２５とに挟まれる空間内に配置される。
【００２８】
この振動部コイル３３は、丸線或いは平角線等の導線を、同一平面内で螺旋状に巻回したヘリカル型のコイルである。そして、この振動部コイル３３は、給電コイル１５から受電コイル２５に非接触給電がなされる際に生じる磁束Ａに対してその巻回面（コイル軸と直交する面）が、より直交に近い状態で交差するように、図示しない適宜な保持治具等によってカバー部材３１の下側に配置されている。このような構成によって振動部コイル３３は、給電コイル１５からの磁束Ａを受けて電力を生成し、配線３４を介して振動子３５に交流電力（高周波電力）を供給する。
【００２９】
なお、振動部コイル３３の配置については、給電コイル１５と受電コイル２５とに挟まれる空間内から一部外れるように配置してもよい。このように前記空間から一部外れて配置することにより、給電コイル１５から受電コイル２５に向かう磁束Ａとは別に、受電コイル２５に伝わることなく外部に洩れてしまう漏れ磁束の一部を受けてこれを電力に変換することができる。したがって、エネルギー効率を高めることができる。
【００３０】
前記した一対のカバー部材３１、３１のうちの一方のカバー部材３１側に設けられた振動部コイル３３と、他方のカバー部材３１側に設けられた振動部コイル３３とは、それぞれの導線の巻き方向が逆になっている。すなわち、例えば一方のカバー部材３１側の振動部コイル３３は左巻きに形成されており、他方のカバー部材３１側の振動部コイル３３は右巻きに形成されている。
【００３１】
振動子３５は、本実施形態では振動部コイル３３で生成した電力によって振動する、導電性高分子アクチュエータ３６によって形成されている。この導電性高分子アクチュエータ３６は、屈伸運動する素子によって形成されたもので、図３に示すように例えば短冊状（細長い矩形板状）に成形されたポリピロール（ＰＰｙ）３６ａと、このポリピロール３６ａの一方の面に貼設されたカプトンテープ３６ｂとによって形成される。
【００３２】
このような構成からなる導電性高分子アクチュエータ３６は、図３に示すように溶液３７中に浸漬された状態でポリピロール３６ａに接続する作用電極３８と溶液３７中に浸漬された対向電極３９との間に電圧が印可されると、溶液３７中のイオンがポリピロール３６ａ側の面のみから出入りし、カプトンテープ３６ｂ側に比べて相対的に体積が膨張、収縮することにより、素子が屈伸運動する。なお、溶液３７としては、例えば脱イオン水にｐ−トルエンスルホン酸ナトリウム（ｐ−ＴＳＮａ）を溶解したものが用いられる。
【００３３】
そして、本実施形態の振動子３５は、前記の導電性高分子アクチュエータ３６、３６がそのカプトンテープ３６ｂ側を内側にして互いに当接させた状態で一対重ねられることにより、形成されている。また、図２（ａ）に示したように振動子３５は、その一端側が地面上に立てられた支持板４０に保持され、他端側の端面がカバー部材３１の外側の側板部３１ｂの外面に当接してこれに接続している。なお、振動子３５は、例えば図２（ｂ）に示すように、カバー部材３１に対して３つ接続している。ただし、カバー部材３１に接続する振動子３５の数は、カバー部材３１の大きさや振動子３５の能力に応じて任意に設定される。カバー部材３１に対して例えば振動子３５を一つのみ接続する場合、カバー部材３１を安定的に保持するため、支持板４０とカバー部材３１との間にコイルバネを介装するようにしてもよい。また、支持板４０とは別の支持部材（図示せず）により、カバー部材３１を支持するように構成してもよい。
【００３４】
図２（ａ）に示すように振動子３５の支持板４０側には作用電極（図示せず）が設けられ、該作用電極に前記振動部コイル３３の一端側に接続する配線３４が接続されている。また、振動子３５の中間部には溶液収容筒（図示せず）が外挿されており、振動子３５はこの溶液収容筒に対してその中間部が摺動可能に保持されている。そして、振動子３５の先端部は溶液収容筒から引き出され、前述したようにカバー部材３１の外側の側板部３１ｂの外面に当接している。
【００３５】
溶液収容筒内には、前記溶液（図示せず）が液密に充填され、さらに溶液中には対向電極（図示せず）が配置されている。この対向電極には、前記振動部コイル３３の他端側に接続する配線３４が接続されている。なお、前述したように振動子３５は一対の導電性高分子アクチュエータ３６によって形成されているが、振動子３５の作用電極は一対の導電性高分子アクチュエータ３６におけるそれぞれのポリピロール３６ａへの作用電極として機能するようになっており、また、溶液収容筒内に配置された対向電極も一対の導電性高分子アクチュエータ３６において共通の電極となっている。
【００３６】
このような構成によって振動子３５は、ポリピロール３６ａからなる両面より溶液３７中のイオンが出入りすることにより、全体の体積が膨張、収縮することで、長さ方向に変位する。すなわち、長さ方向に伸縮する。
【００３７】
したがって、振動部３２は、振動部コイル３３が給電コイル１５で形成される磁界によって電力を生成し、この電力が配線３４を介して振動子３５に供給されることにより、振動子３５がその長さ方向に伸縮してカバー部材３１を振動させる。すなわち、振動部コイル３３が給電コイル１５から発せられる交流電力（高周波電力）に応じた磁界（磁束Ａ）を受けることで高周波の交流電力を振動子３５に供給することにより、振動子３５は全体の体積の膨張、収縮を高速で繰り返し、その長さ方向での長さを高速で変位させる。その際、振動子３５はその一端側が支持板４０に保持されて固定され、他端側の端面がカバー部材３１の外側の側板部３１ｂの外面に当接しているため、他端側に伸縮することでカバー部材３１を小刻みに振動させる。
【００３８】
このような振動部３２によるカバー部材３１の振動は、一対のカバー部材３１、３１の両方で同様になされる。その際、特に本実施形態では、一方のカバー部材３１側に接続される振動部コイル３３と他方のカバー部材３１側に接続される振動部コイル３３とを、それぞれの導線の巻き方向を逆にしているので、一方のカバー部材３１に設けられる振動子３５と他方のカバー部材３１に設けられる振動子３５とでは振動部コイル３３で生成する交流電力（交流電圧）の位相が逆になる。
【００３９】
したがって、一方の側の振動子３５が伸長したときには他方の側の振動子３５が短縮し、逆に一方の側の振動子３５が短縮したときには他方の側の振動子３５が伸長するようになる。これにより、一対のカバー部材３１、３１は共に同方向に変位するようになる。すなわち、一方のカバー部材３１が図２（ａ）中の紙面右方向に変位するときには他方のカバー部材３１も紙面右方向に変位し、一方のカバー部材３１が紙面左方向に変位するときには他方のカバー部材３１も紙面左方向に変位する。よって、一対のカバー部材３１、３１が一体に変位するため、カバー３０は円滑に振動し、その上に載った異物５０をカバー３０上から容易に落下させられるようになる。
【００４０】
このように本実施形態の非接触給電装置３にあっては、給電コイル１５を覆って一対のカバー部味３１、３１からなるカバー３０を設け、カバー部材３１、３１に、給電コイル１５で発生した磁束Ａによって振動し、カバー３０を振動させる振動部３２を接続しているので、カバー３０上に載り、したがってこのカバー３０を介して給電コイル１５上に載ってしまった異物５０を、比較的簡易な構成からなる振動部３２の振動子３５の振動によってカバー部材３１の傾斜方向下方となる外方に移動させ、カバー部材３１から落下させることでカバー３０上から確実に取り除くことができる。したがって、別の専用の電源を用いることなく、比較的簡易な構成によって異物５０により給電コイル１５の伝送（送電）効率が低下してしまうのを防止することができる。
【００４１】
特に、カバー３０を構成するカバー部材３１、３１を、その上面が外側に行くに連れて下降する傾斜面としているので、振動部３２による振動によって異物５０をカバー部材３１の傾斜方向下方となる外方に容易に案内し、移動させてカバー部材３１から落下させることができる。
【００４２】
また、振動部３２の振動子３５として一対の導電性高分子アクチュエータ３６、３６を用いているので、これら導電性高分子アクチュエータ３６、３６は低電圧で駆動することから、振動部コイル３３で得られた電力によって振動子３５が容易に駆動し、カバー部材３１、３１を振動させるようになる。さらに、導電性高分子アクチュエータ３６はモータ等に比べて格段に軽量であるため、カバー部材３１（カバー３０）への取り付けが容易になる。
【００４３】
［第２実施形態］
図４は、本発明の非接触給電装置の第２実施形態を説明するための要部を模式的に示す側面図である。図４に示す非接触給電装置が図１、図２に示した第１実施形態の非接触給電装置３と異なるところは、カバー部材３１、３１（カバー３０）に対する振動子３５の取り付け方にある。
【００４４】
すなわち、本実施形態では、図４に示すように一対の導電性高分子アクチュエータ３６、３６からなる振動子３５はその一端側が地面上に立てられた支持板４０に保持され、他端側の端面がカバー部材３１のカバー本体３１ａの底面に当接してこれに接続している。したがって、本実施形態では振動部コイル３３が給電コイル１５から発せられる交流電力（高周波電力）に応じた磁界（磁束Ａ）を受けることで高周波の交流電力を振動子３５に供給することにより、振動子３５はカバー本体３１ａを鉛直方向に振動させる。
【００４５】
よって、本実施形態の非接触給電装置にあっても、カバー３０上に載った異物５０を、比較的簡易な構成からなる振動部３２の振動子３５の振動によってカバー部材３１の傾斜方向下方となる外方に移動させ、カバー部材３１から落下させることでカバー３０上から確実に取り除くことができる。したがって、別の専用の電源を用いることなく、比較的簡易な構成によって異物５０により給電コイル１５の伝送（送電）効率が低下してしまうのを防止することができる。
【００４６】
［第３実施形態］
図５は、本発明の非接触給電装置の第３実施形態を説明するための要部を模式的に示す側面図である。図５に示す非接触給電装置が図４に示した第２実施形態の非接触給電装置と異なるところは、カバー部材３１、３１（カバー３０）に接続する振動部の構成にある。すなわち、本実施形態では、振動部４１として磁歪材料からなる振動子４２を有したものが用いられる。
【００４７】
磁歪材料としては、強磁性体であるコバルトやニッケル、さらにはこれらの合金などが用いられる。このような磁歪材料は、磁界をかけると寸法変化を生じて伸縮する。したがって、このような磁歪材料を用い、磁界によって伸縮する方向が長さ方向となるようにして振動子４２を形成する。そして、この振動子４２を第２実施形態の振動子３５と同様に、その一端側が地面上に立てられた支持板４０に保持され、他端側の端面がカバー部材３１のカバー本体３１ａの底面に当接してこれに接続するように配置するとともに、給電コイル１５からの磁束Ａの方向に沿うように配置する。
【００４８】
なお、本実施形態では給電コイル１５からの磁界（磁束Ａ）によって振動子４２が直接伸縮するので、先の実施形態で用いた振動部コイル３３を用いる必要はない。すなわち、振動子４２が給電コイル１５から発せられる交流電力（高周波電力）に応じた磁界（磁束Ａ）を受けることで伸縮し、これによって振動子４２はカバー本体３１ａを鉛直方向に振動させる。
【００４９】
よって、本実施形態の非接触給電装置にあっても、カバー３０上に載った異物５０を、簡易な構成からなる振動部４１の振動子４２の振動によってカバー部材３１の傾斜方向下方となる外方に移動させ、カバー部材３１から落下させることでカバー３０上から確実に取り除くことができる。したがって、別の専用の電源を用いることなく、簡易な構成によって異物５０により給電コイル１５の伝送（送電）効率が低下してしまうのを防止することができる。
また、振動部４１を磁歪材料からなる振動子４２によって形成しているので、振動部コイル３３を用いる必要がなくなり、したがって振動部４１の構成をより簡易にすることができる。
【００５０】
［変形例］
図６は、本発明の非接触給電装置の変形例を説明するための要部を模式的に示す側面図である。図６に示す非接触給電装置は、先の実施形態と異なり、カバー３０（カバー部材３１、３１）が振動部を兼ねた構成となっている。すなわち、カバー３０（カバー部材３１、３１）は前述した磁歪材料によって形成されており、したがって給電コイル１５から発せられる交流電力（高周波電力）に応じた磁界（磁束Ａ）を受けることでカバー３０自体が伸縮し、例えば鉛直方向に振動する。
【００５１】
なお、この変形例では、カバー３０（カバー部材３１、３１）を磁歪材料であり、かつ導電材料でもある金属によって形成するため、磁界（磁束Ａ）を受けることで該カバー３０に渦電流が生じる。そこで、この渦電流によってカバーが発熱しないよう、渦電流を遮断するためのスリットを設けておく。また、カバー部材３１、３１は、図示しない支持部材によって給電コイル１５の上方にこれを覆った状態で支持されている。
【００５２】
本実施形態の非接触給電装置にあっても、カバー３０上に載った異物５０を、簡易な構成からなる振動部としてのカバー３０により、そのカバー部材３１の傾斜方向下方となる外方に移動させ、カバー部材３１から落下させることでカバー３０上から確実に取り除くことができる。したがって、別の専用の電源を用いることなく、簡易な構成によって異物５０により給電コイル１５の伝送（送電）効率が低下してしまうのを防止することができる。
【００５３】
なお、本発明は前記実施形態に限定されることなく、本発明の主旨を逸脱しない範囲で種々の変更が可能である。
例えば、前記実施形態ではカバー３０を一対のカバー部材３１、３１によって形成し、これらカバー部材３１、３１を山型に配置したが、例えばカバー部材３１を平面視三角形状に形成し、これらカバー部材３１を３枚以上組み合わせることでカバー３０を角錐形状に形成してもよい。
【００５４】
また、前記実施形態ではカバー３０の上面を傾斜面としたが、傾斜面とすることなく、水平面としてもよい。その場合にも、振動部によってカバーが振動させられることにより、カバー上の異物はカバーの上から容易に落下し、取り除かれるようになる。
【符号の説明】
【００５５】
１…非接触給電システム、２…車両（移動体）、３…非接触給電装置、１５…給電コイル、２５…受電コイル、３０…カバー、３１…カバー部材、３２…振動部、３３…振動部コイル、３４…配線、３５…振動子、３６…導電性高分子アクチュエータ、４１…振動部、４２…振動子、５０…異物、Ａ…磁束
【図１】
2015133846.tif 000003
【図２】
2015133846.tif 000004
【図３】
2015133846.tif 000005
【図４】
2015133846.tif 000006
【図５】
2015133846.tif 000007
【図６】
2015133846.tif 000008